【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
低炭素排出複合サイクル発電プラントにおいて、
炭素を含有する燃料が供給されかつタービン排気ダクト（１６Ａ）から二酸化炭素を含有する煙道ガスを排出するために働くガスタービン機関（１０Ａ）と、
タービン排気ダクトから受け取られた煙道ガスを冷却することによって蒸気を発生するために働く排熱回収ボイラ（ＨＲＳＧ）（１９Ａ）と、
ＨＲＳＧ（１９Ａ）から受け取られた蒸気からシャフト動力を発生するために働く蒸気タービン（２１）と、
ＨＲＳＧから受け取られた煙道ガスを、通常の周囲温度に近い温度に冷却するために働く熱交換装置（３０）と、
煙道ガスを約−４０℃〜−５０℃の温度範囲にさらに冷却するために働く能動的冷却装置（３３，３６）と、
複数の渦ノズル（３８）とが設けられており、各渦ノズルが、前記能動的冷却装置から煙道ガスを受け取るための入口を有しておりかつ、受け取られた煙道ガス（３７）から二酸化炭素（３９）を極低温で分離し、二酸化炭素が除去された煙道ガス（４３）を排出するために働くようになっている形式のものにおいて、
前記ガスタービン機関は、渦ノズルへの進入を保証するために十分に高い増大した排気圧力を用いて運転することができるように設計又は変更され、使用時に、ガスタービン機関の排気ダクト（１６）と、ＨＲＳＧ（１９Ａ）と、熱交換装置（３０）と、能動的冷却装置（３３１，３６１）とが、少なくとも２ｂａｒの圧力での渦ノズル（３８）への流入を保証するように十分に高い圧力で作動することを特徴とする、低炭素排出複合サイクル発電プラント。
【請求項２】
煙道ガスにおける二酸化炭素の割合を高めるために、プラントに、ＨＲＳＧを通過する煙道ガスの所定の割合を、ガスタービン機関の圧縮機（ＧＴ圧縮機）における、該圧縮機の圧力が実質的に再循環されるガスの圧力と同じである位置へ再循環させるための、分流器が設けられている、請求項１記載のプラント。
【請求項３】
ＧＴ圧縮機における混合損失を最小限に抑えるために、プラントが、煙道ガスを、ガスが再循環される圧縮機における位置におけるＧＴ圧縮機空気温度と実質的に同じ温度に冷却するように、適応されている、請求項２記載のプラント。
【請求項４】
機関の電力出力を最大化するために、プラントが、煙道ガスを、ガスが再循環されるＧＴ圧縮機における位置におけるＧＴ圧縮機空気温度よりも実質的に低い温度に冷却するように、適応されている、請求項３記載のプラント。
【請求項５】
ＨＲＳＧが、煙道ガスを、ＧＴ圧縮機内へ噴射するための温度に冷却するように適応されている、請求項３又は４記載のプラント。
【請求項６】
ＨＲＳＧが、煙道ガスの所定の割合を、該煙道ガスがＨＲＳＧを完全に通過する前にＧＴ圧縮機へ直接に分流するための分流器を有している、請求項５記載のプラント。
【請求項７】
渦ノズル（３８）から受け取られた、分離された二酸化炭素（３９）を圧縮し、該二酸化炭素を、貯蔵部へ搬送するためのパイプライン（４１）内へ圧送するように働くガス圧縮機（４０）と、
渦ノズルから二酸化炭素が除去された煙道ガスを受け取り、該煙道ガスを大気中へ排出するための排出煙道（Ｓ）とが設けられている、請求項１記載のプラント。
【請求項８】
渦ノズルの入口における煙道ガスの圧力が、２〜４ｂａｒの範囲である、請求項１又は７記載のプラント。
【請求項９】
ガスタービン機関が、複数のタービン段を有しておりかつ約１ｂａｒのタービン排出ダクトにおける圧力で働く、既存の機関の変更された形式であり、該変更された形式が、既存の機関よりも少ない少なくとも１つのタービン段を有しており、前記変更された形式が、渦ノズル（３８）の所要の入口圧力に、ガスタービン機関と渦ノズルとの間に配置されたプラントの下流部分（１９Ａ，３０，３３１，３６１）の圧力損失を加えたものであるタービン排気の圧力で、働くようになっている、請求項１から８までのいずれか１項記載のプラント。
【請求項１０】
炭素を含有する燃料が供給されかつ二酸化炭素を含有する煙道ガス（１８Ａ）を排出するように働くガスタービン機関（１０Ａ）を有する複合サイクル発電プラントからの低炭素排気を得るための方法であって、さらに、
シャフト動力を発生するために蒸気タービン（２１）を駆動するための蒸気を発生するために煙道ガスを使用することによって前記煙道ガスが冷却される第１の冷却ステップ（１９Ａ）と、
煙道ガスが、通常の周囲温度に近い温度にさらに冷却される第２の冷却ステップ（３０）と、
煙道ガスが、約−４０℃〜−５０℃の温度範囲にさらに冷却される第３の冷却ステップ（３３１，３６１）と、
煙道ガスから二酸化炭素を分離するために渦ノズルを利用し、二酸化炭素が除去された煙道ガスを排出することを含む極低温分離ステップ（３８）と、を含む方法において、
ガスタービン機関からの煙道ガスの排出と、煙道ガスの冷却とが、少なくとも２ｂａｒの圧力での極低温分離ステップへの進入を保証するための十分な高い圧力で生じることを特徴とする、複合サイクル発電プラントからの低炭素排気を得るための方法。
【請求項１１】
煙道ガスにおける二酸化炭素の割合を高めるために、第１の冷却ステップからの煙道ガスの所定の割合が、煙道ガスが第２の冷却ステップに達する前に分流されて、ガスタービン機関の圧縮機（ＧＴ圧縮機）内へ、該ＧＴ圧縮機の圧力が再循環される煙道ガスの圧力と実質的に同じである前記ＧＴ圧縮機における位置において噴射するために、再循環させられる、請求項１０記載の方法。
【請求項１２】
ＧＴ圧縮機における混合損失を最小限に抑えるために、再循環される煙道ガスが、該煙道ガスが再循環させられるＧＴ圧縮機における位置でのＧＴ圧縮機空気温度と実質的に同じ温度に冷却される、請求項１１記載の方法。
【請求項１３】
機関の電力出力を最大化するために、再循環される煙道ガスが、該煙道ガスが再循環させられるＧＴ圧縮機における位置におけるＧＴ圧縮機空気温度よりも実質的に低い温度に冷却される、請求項１２記載の方法。
【請求項１４】
分離された二酸化炭素が貯蔵のために圧縮される圧縮ステップ（４０）と、
該圧縮ステップと並行する、二酸化炭素が除去された煙道ガスを大気中へ排出する排出ステップ（４４）とをさらに含む、請求項１０記載の方法。
【請求項１５】
渦ノズル（３８）への入口圧力が、２〜４ｂａｒの範囲である、請求項１０又は１４記載の方法。
【請求項１６】
煙道ガス（３７）から二酸化炭素（３９）を極低温で分離するための渦ノズル（３８）を用いる低炭素排出複合サイクル発電プラントにおいて、該プラントの複雑さが、
プラントのガスタービン機関部分（１０Ａ）を、少なくとも２ｂａｒの渦ノズルへの入口圧力を保証するために十分に高い、タービン排気圧力と、ガスタービン機関と渦ノズルとの間に配置されたプラントの下流部分（１９Ａ，３０，３３１，３６１）の圧力とで、運転することを特徴とする、低炭素排出複合サイクル発電プラント。
【請求項１７】
プラントの下流部分が、排熱回収ボイラ（ＨＲＳＧ）（１９Ａ）及びガス冷却システム（３０，３３１，３６１）を含む、請求項１６記載の発電プラント。
【請求項１８】
前記ガス冷却システムが、ＨＲＳＧから受け取られた煙道ガスを通常の周囲温度に近い温度に冷却するために働く熱交換装置（３０）と、煙道ガスを約−４０℃〜−５０℃の温度範囲にさらに冷却するために働く能動的冷却装置（３３，３６）とを有する、請求項１７記載の発電プラント。